【手続補正書】
【提出日】平成31年1月29日(2019.1.29)
【手続補正１】
【補正対象書類名】特許請求の範囲
【補正対象項目名】全文
【補正方法】変更
【補正の内容】
【特許請求の範囲】
【請求項１】
両面カミソリを用いる方法であって、
ａ）ハンドルに取り付けられたカートリッジを有するカミソリを用意するステップであって、前記カートリッジは、前記ハンドルに隣接する第１の端部と第２の端部とを有し、前記カートリッジは、第１かみそり側面と第２かみそり側面とをさらに有する、ステップと、
ｂ）前記ハンドルに対する前記カートリッジの向きを前記第１かみそり側面から前記第２かみそり側面へと切り替えるステップと、
を含み、
前記第１のかみそり側面に隣接して少なくとも１つのブレードエッジが設けられており、前記第２のかみそり側面に隣接して少なくとも１つのブレードエッジが設けられており、前記第１のブレードエッジ及び第２のブレードエッジは、前記カートリッジの前記第１の端部に向かって傾斜している、方法。
【請求項２】
前記向きを切り替えるステップは、前記第１のかみそり側面が前記ハンドルの第１の側に面し、前記第２のかみそり側面が前記ハンドルの第２の側に面する状態で前記カートリッジを前記ハンドルから取り外すステップと、前記第２のかみそり側面が前記ハンドルの第１の側に面し、前記第１のかみそり側面が前記ハンドルの第２の側に面する状態に前記カートリッジを方向付けるステップと、前記第２のかみそり側面が前記ハンドルの第１の側に面し、前記第１のかみそり側面が前記ハンドルの第２の側に面する状態で前記カートリッジを前記ハンドルに再び取り付けるステップと、を含む、請求項１に記載の方法。
【請求項３】
前記両面カミソリは、前記第１のかみそり側面と前記第２のかみそり側面との間に延びる少なくとも１つのかみそりブレードを有する、請求項１に記載の方法。
【請求項４】
前記向きを切り替えるステップは、前記カートリッジを前記ハンドルから取り外すステップと、前記カートリッジを軸を中心に反転させるステップと、前記カートリッジを前記ハンドルに取り付けるステップと、を含む、請求項１に記載の方法。
【請求項５】
前記向きを切り替えるステップは、前記カートリッジと前記ハンドルとの間に形成された可撓性のバリアを超えるように前記カートリッジに力を加えるステップを含む、請求項１に記載の方法。
【請求項６】
前記カートリッジと前記ハンドルは、互いに永久的に取り付けられている、請求項５に記載の方法。
【請求項７】
前記向きを切り替えるステップは、切り替える前に、前記第１のかみそり側面が前記第１のハンドル側に面し、前記第２のかみそり側面が前記第２のハンドル側に面し、切り替えた後で、前記第１のかみそり側面が前記第２のハンドル側に面するように、前記カートリッジを前記ハンドルに取り付けられた状態で回転させるステップを含む、請求項１に記載の方法。
【請求項８】
前記カートリッジは、回転ジョイントによって前記ハンドルに取り付けられており、前記向きを切り替えるステップは、前記ジョイントによって前記ハンドルに対して前記カートリッジを回転させるステップを含む、請求項１に記載の方法。
【請求項９】
前記回転ジョイントは、ピンジョイントである、請求項８に記載の方法。
【請求項１０】
両面カミソリを用いる方法であって、
ａ）ハンドルに取り付けられたカートリッジを有するカミソリを用意するステップであって、前記カートリッジは、前記ハンドルに隣接する第１の端部と第２の端部とを有し、前記カートリッジは、第１かみそり側面と第２かみそり側面とをさらに有する、ステップと、
ｂ）前記ハンドルに対する前記カートリッジの向きを第１の構成から第２の構成へと切り替えるステップと、
を含み、
前記第１の構成では、前記カートリッジの前記第１の端部に隣接する前記第２のかみそり側面のセグメントが、前記カートリッジと前記ハンドルとの間に形成された可撓性のバリアに接触しており、
前記第２の構成では、前記カートリッジの前記第１の端部に隣接する前記第１のかみそり側面のセグメントが、前記可撓性のバリアに接触しており、
前記カートリッジの向きを切り替えるステップは、前記可撓性のバリアを通過するように前記カートリッジに力を加えるステップを含む、方法。
【請求項１１】
前記ハンドルは、前記カートリッジの前側面と後側面とが反転できるように対称的である、請求項１０に記載の方法。
【請求項１２】
前記カートリッジと前記ハンドルは、互いに永久的に取り付けられている、請求項１０に記載の方法。
【請求項１３】
両面カミソリを用いる方法であって、
ａ）ハンドルに取り付けられたカートリッジを有するカミソリを用意するステップであって、前記カートリッジは、第１かみそり側面と第２かみそり側面とを有する、ステップと、
ｂ）前記ハンドルに対する前記カートリッジの向きを第１の構成から第２の構成へと切り替えるステップと、
を含み、
前記カートリッジは、回転ジョイントによって前記ハンドルに取り付けられており、前記向きを切り替えるステップは、前記ジョイントによって前記ハンドルに対して前記カートリッジを回転させるステップを含み、
前記ハンドルは、少なくとも部分的に前記カートリッジを通って延びる長手方向軸を有し、前記回転ジョイントは、少なくとも部分的に前記長手方向軸を中心に前記カートリッジを回転させる、方法。
【請求項１４】
前記回転ジョイントは、ピンジョイントである、請求項１３に記載の方法。
【請求項１５】
前記第１のかみそり側面と前記第２のかみそり側面とは互いに鏡像である、請求項１に記載の方法。
【請求項１６】
両面カミソリであって、
ａ）ハンドルと、前記ハンドルに取り付けられたカートリッジとを備え、
ｂ）前記カートリッジは、第１のかみそり面を有する第１のかみそり側面と、第２のかみそり面を有する前記第１のかみそり側面とは反対側かつ平行な第２のかみそり側面とを有し、前記カートリッジは、前記第１のかみそり面と第２のかみそり面との間で前記ハンドルに対して切り換え可能であり、
ｃ）前記カートリッジは、前記カミソリの正常な使用中に前記第１のかみそり側面と前記第２のかみそり側面との間で前記カートリッジの不注意な切り換えを抑制する前記第１のかみそり側面と第２のかみそり側面との間に形成されたインタラプトをさらに有し、
前記第１のかみそり面は、少なくとも１つのかみそりブレードを含む第１のかみそり領域及び第１の軌跡を有し、前記第２のかみそり面は、少なくとも１つのかみそりブレードを含む第２のかみそり領域及び第２の軌跡を有し、前記第１の軌跡と第２の軌跡は、前記カートリッジの互いに反対側の面にあり、前記インタラプトは、前記第１の軌跡と前記第２の軌跡の交点に形成されている、両面カミソリ。
【請求項１７】
前記第１及び第２の軌跡は、前記第１及び第２のかみそり領域に各々隣接している、請求項１６に記載の両面カミソリ。
【請求項１８】
前記第１及び第２の軌跡は、前記第１及び第２のかみそり領域及び前記インタラプト間で各々形成されている、請求項１７に記載の両面カミソリ。
【請求項１９】
前記第１及び第２の軌跡及び前記インタラプトは、一体に形成されている、請求項１６に記載の両面カミソリ。
【請求項２０】
前記ハンドルに対する前記カートリッジの位置によって前記第１の軌跡または前記第２の軌跡と結合する前記ハンドルと前記カートリッジとの間に形成されたプッシュピンをさらに備える、請求項１６に記載の両面カミソリ。
【請求項２１】
前記プッシュピンは、付勢要素により前記ハンドルから外れるように付勢される、請求項２０に記載の両面カミソリ。
【請求項２２】
前記第１及び第２のかみそり面は、それぞれの軌跡に隣接した少なくとも１つの把持パッドをさらに有する、請求項１６に記載の両面カミソリ。
【請求項２３】
両面カミソリであって、
ａ）ハンドルと、前記ハンドルに取り付けられたカートリッジとを備え、
ｂ）前記カートリッジは、第１のかみそり面を有する第１のかみそり側面と、第２のかみそり面を有する前記第１のかみそり側面とは反対側かつ平行な第２のかみそり側面とを有し、前記カートリッジは、前記第１のかみそり面と第２のかみそり面との間で前記ハンドルに対して切り換え可能であり、
ｃ）前記カートリッジは、前記カミソリの正常な使用中に前記第１のかみそり側面と前記第２のかみそり側面との間で前記カートリッジの不注意な切り換えを抑制する前記第１のかみそり側面と第２のかみそり側面との間に形成されたインタラプトをさらに有し、
前記第１のかみそり面は、少なくとも１つのかみそりブレードを含む第１のかみそり領域及び第１の軌跡を有し、前記第２のかみそり面は、少なくとも１つのかみそりブレードを含む第２のかみそり領域及び第２の軌跡を有し、前記第１の軌跡と第２の軌跡は、前記カートリッジの互いに反対側の面にあり、
前記両面カミソリは、前記カートリッジと前記ハンドルとの間に形成されたプッシュピンをさらに備え、前記プッシュピンは、前記第１の軌跡または前記第２の軌跡のいずれかに圧力を適用し、前記インタラプトは、前記カミソリの正常な使用中に前記第１のかみそり側面と前記第２のかみそり側面との間の前記カートリッジの不注意な切り換えを防止するために、前記プッシュピンと相互作用する、両面カミソリ。
【請求項２４】
前記プッシュピンは、付勢要素により前記ハンドルから外れるように付勢される、請求項２３に記載の両面カミソリ。
【請求項２５】
前記プッシュピンは、前記ハンドルに固定されている、請求項２３に記載の両面カミソリ。
【請求項２６】
両面カミソリであって、
ａ）ハンドルと、前記ハンドルに取り付けられたカートリッジとを備え、
ｂ）前記カートリッジは、第１のかみそり面を有する第１のかみそり側面と、第２のかみそり面を有する前記第１のかみそり側面とは反対側かつ平行な第２のかみそり側面とを有し、前記カートリッジは、前記第１のかみそり面と第２のかみそり面との間で前記ハンドルに対して切り換え可能であり、
ｃ）前記カートリッジは、前記カミソリの正常な使用中に前記第１のかみそり側面と前記第２のかみそり側面との間で前記カートリッジの不注意な切り換えを抑制する前記第１のかみそり側面と第２のかみそり側面との間に形成されたインタラプトをさらに有し、
前記カートリッジは、前記カートリッジが前記ハンドルに対して旋回するスイベルアーム連結により、前記ハンドルに取り付けられており、
前記第１のかみそり面は、少なくとも１つのかみそりブレードを含む第１のかみそり領域及び第１の軌跡を有し、前記第２のかみそり面は、少なくとも１つのかみそりブレードを含む第２のかみそり領域及び第２の軌跡を有し、前記スイベルアーム連結は、前記第１及び第２の軌跡に隣接した前記カートリッジに取付可能であり、
前記スイベルアーム連結は、前記カートリッジの開口に係合する係合ピンを有し、前記カートリッジは、前記係合ピンに対して旋回可能であり、
前記カートリッジは、前記第１及び第２のかみそり側面の一部を共に保持する端部キャップと、前記係合開口を含む前記端部キャップとは独立したエッジ領域とをさらに有し、
前記スイベルアープ連結は、少なくとも１つの当接面を有し、前記端部キャップは、前記当接面に衝突し、前記カートリッジが前記係合ピンを中心に旋回するための可動域を画定するための傾斜面を有する、両面カミソリ。
【請求項２７】
両面カミソリであって、
ａ）ハンドルと、前記ハンドルに取り付けられたカートリッジとを備え、
ｂ）前記カートリッジは、第１のかみそり面を有する第１のかみそり側面と、第２のかみそり面を有する前記第１のかみそり側面とは反対側かつ平行な第２のかみそり側面とを有し、前記カートリッジは、前記第１のかみそり面と第２のかみそり面との間で前記ハンドルに対して切り換え可能であり、そして、
ｃ）前記カートリッジは、前記ハンドルに前記カートリッジを取り付ける一次元軸方向ジョイント結合をさらに有し、前記カートリッジは、前記軸方向ジョイント結合の軸を中心とする前記カートリッジの回転を介して前記第１のかみそり側面と第２のかみそり側面との間で切り換え可能である、両面カミソリ。
【請求項２８】
カミソリのハンドルに取り付けるための両面カミソリカートリッジであって、
ａ）第１のかみそり面を有する第１のかみそり側面と、第２のかみそり面を有する前記第１のかみそり側面とは反対側かつ平行な第２のかみそり側面と、
ｂ）前記カミソリの正常な使用中に前記第１のかみそり側面と第２のかみそり側面との間で前記カートリッジの不注意な切り換えを禁止する前記第１のかみそり側面と前記第２のかみそり側面との間に形成された下向きに垂れ下がるインタラプトと、
を備え、
前記カートリッジは、前記第１のかみそり側面と第２のかみそり側面との間で前記カミソリハンドルに対して切り換え可能であり、
前記第１のかみそり面は、少なくとも１つのかみそりブレードを含む第１のかみそり領域及び第１の軌跡を有し、前記第２のかみそり面は、少なくとも１つのかみそりブレードを含む第２のかみそり領域及び第２の軌跡を有し、前記第１の軌跡と第２の軌跡は、前記カートリッジの互いに反対側の面にあり、前記インタラプトは、前記第１の軌跡と前記第２の軌跡の交点に形成されている、両面カミソリカートリッジ。
【請求項２９】
前記第１及び第２の軌跡及び前記インタラプトは、一体に形成されている、請求項２８に記載の両面カミソリカートリッジ。
【請求項３０】
前記第１及び第２のかみそり面は、それぞれの軌跡に隣接した少なくとも１つの把持パッドをさらに有する、請求項２９に記載の両面カミソリカートリッジ。
【請求項３１】
前記第１及び第２のかみそり面は、ブレード領域、前記ブレード領域に隣接した第１のエッジ領域、及び前記ブレード領域でない領域に隣接した第２のエッジ領域をさらに有する、請求項３０に記載の両面カミソリカートリッジ。
【請求項３２】
前記第２のエッジ領域は、前記少なくとも１つの把持パッドに隣接している、請求項３１に記載の両面カミソリカートリッジ。
【請求項３３】
カミソリのハンドルに取り付けるための両面カミソリカートリッジ組立体であって、
ａ）スイベルアーム連結と、
ｂ）前記スイベルアーム連結に旋回されるように取り付けられたカミソリカートリッジと、
を備え、
前記カミソリカートリッジは、第１のかみそり面を有する第１のかみそり側面と、第２のかみそり面を有する前記第１のかみそり側面とは反対側かつ平行な第２のかみそり側面と、前記第１のかみそり側面と第２のかみそり側面との間に形成されたインタラプトとを有し、前記カートリッジは、前記第１のかみそり面と第２のかみそり面との間で前記カミソリハンドルに対して切り換え可能であり、
ｃ）前記第１のかみそり面は、少なくとも１つのかみそりブレードを含む第１のかみそり領域及び第１の軌跡を有し、前記第２のかみそり面は、少なくとも１つのかみそりブレードを含む第２のかみそり領域及び第２の軌跡を有し、スイベルアーム連結は、前記第１及び第２の軌跡に隣接した前記カートリッジに取付可能であり、
ｄ）前記第１及び第２の軌跡と前記インタラプトとが一体に形成されている、両面カミソリカートリッジ組立体。
【請求項３４】
前記スイベルアーム連結は、前記カートリッジの開口に係合する結合ピンを有し、前記カートリッジは、前記係合ピンに対して旋回可能である、請求項３３に記載の両面カミソリカートリッジ組立体。
【請求項３５】
前記カートリッジの開口は、前記第１及び第２の軌跡に隣接している、請求項３４に記載の両面カミソリカートリッジ組立体。